(57)【特許請求の範囲】
【請求項１】
天地を反転させた状態で角形容器の内面を洗浄するための角形容器の洗浄装置であって、水力モーターのモーター軸をモーターケースの上方に突出させると共に、このモーター軸を軸ケースの上方に突出させて、その突出軸部にロータリーベースを設ける一方、洗浄対象の角形容器の口部を比例縮小させた形状の方形歯車を、ロータリーベースに相対峙させてモーター軸の軸ケースに固着し、この方形歯車に噛合する円形の小歯車の装着軸を、モーター軸の半径方向に移動可能な状態で、ロータリーベースに回転可能に係止保持させると共に、軸ケースに備えた上下一対の固着部材の相対峙する面部に、方形歯車の形状を比例縮小させた形状の凹溝を形成し、この凹溝に案内されるローラーの保持部材を小歯車の装着軸に相対回転可能に設けると共に、更に、弾性変形が可能なシリコンゴム系の板状部材をブラシボスに備えてなる容器洗浄用のブラシを、小歯車の装着軸に対して取り外し並びに取り付け位置調節可能に設け、かつ、水力モーターからの排水の導出路をモーター軸に形成して、この排水の導出路に排水を容器内面に向けて噴出させるノズルを設ける一方、天地を反転させた状態で角形容器を容器洗浄用のブラシに被せ得るように、角形容器の支持テーブルを昇降手段によって昇降可能に設けてなることを特徴とする角形容器の洗浄装置。
【請求項２】
モーター軸の軸ケースの上下部に、二枚の方形歯車を互いに相対峙させて固着し、この二枚の方形歯車を固着部材として、これの相対峙する面部に凹溝を形成してなる請求項１に記載された角形容器の洗浄装置。
【発明の詳細な説明】
【０００１】
【発明の属する技術分野】
本発明は、天地を反転させた状態で角形容器の内面を洗浄するための角形容器の洗浄装置に関する。
【０００２】
【従来の技術】
例えば、学校や病院等の大きな設備での調理や、大規模の給食の仕出し等に際しては、深底で寸胴のバケツやバットなどの容器に、米飯や調理された副食品を収容して運搬される。
【０００３】
そして、回収した使用後の容器については、これを洗浄ラインに流して、自動洗浄するようにしている。
【０００４】
この容器の洗浄装置として、本出願人は、水力モーターのモーター軸をモーターケースの上方に突出させて、このモーター軸の軸ケースに円形歯車を固着し、かつ、軸ケース上方へのモーター軸の突出部にロータリーベースを設けると共に、このロータリーベースに、上記の円形歯車に噛合する小歯車の装着軸を回転可能に保持させ、更に、この小歯車の装着軸に、容器内面の洗浄用ブラシを取り外し並びに取り付け位置調節可能に設けて、この洗浄用ブラシを、ロータリーベースの回転に伴って自転を伴わせて、円形歯車のまわりを公転させるように構成してなるものを提案している（特開平１１−２６７０８２号公報）。
【０００５】
上記の構成による容器の洗浄装置によれば、容器の天地を反転させて、この容器を洗浄用ブラシに被せるようにセットし、水力モーターによってロータリーベースを回転させることで、自転を伴って公転する洗浄用ブラシにより、容器の内面が自動洗浄される。
【０００６】
【発明が解決しようとする課題】
ところで、上記の米飯や副食品などを収容する容器としては、これが円形や角形のバケツやバットなどがあり、上記の構成による容器の洗浄装置は、円形容器を洗浄対象としたものであって、角形容器の洗浄に際しては、水力モーターを水平二次元方向に動作させる手段と、これの制御手段とを付加して、自転を伴って公転する洗浄用ブラシを水平二次元方向に移動させる必要があった。
【０００７】
しかし、円形容器を洗浄対象とした容器洗浄装置の容器洗浄用ブラシを、角形容器内面の曲率の小さな隅部に沿わせてシビアに移動させる制御は、非常に困難であるだけでなく、そのためのコストが高くつく点で改善の余地があった。
【０００８】
本発明は、かゝる実情に鑑みてなされたものであって、その目的は、水平動作の手段はもとより、コスト的に高くつく制御の手段をも不要にして、角形容器の内面を隅々まで綺麗に洗浄することを容易に可能とした洗浄装置を提供することにある。
【０００９】
【課題を解決するための手段】
上記目的を達成するために、本発明では、水力モーターのモーター軸をモーターケースの上方に突出させると共に、このモーター軸を軸ケースの上方に突出させて、その突出軸部にロータリーベースを設ける一方、洗浄対象の角形容器の口部を比例縮小させた形状の方形歯車を、ロータリーベースに相対峙させてモーター軸の軸ケースに固着し、この方形歯車に噛合する円形の小歯車の装着軸を、モーター軸の半径方向に移動可能な状態で、ロータリーベースに回転可能に係止保持させると共に、軸ケースに備えた上下一対の固着部材の相対峙する面部に、方形歯車の形状を比例縮小させた形状の凹溝を形成し、この凹溝に案内されるローラーの保持部材を小歯車の装着軸に相対回転可能に設けている。
【００１０】
そして更に、弾性変形が可能なシリコンゴム系の板状部材をブラシボスに備えてなる容器洗浄用のブラシを、小歯車の装着軸に対して取り外し並びに取り付け位置調節可能に設けると共に、水力モーターからの排水の導出路をモーター軸に形成して、この排水の導出路に排水を容器内面に向けて噴出させるノズルを設ける一方、天地を反転させた状態で角形容器を容器洗浄用のブラシに被せ得るように、角形容器の支持テーブルを昇降手段によって昇降可能に設けてなるなる点に特徴がある（請求項１）。
【００１１】
上記の構成にかゝる容器の洗浄装置によれば、水力モーターによってロータリーベースを回転させると、このロータリーベースの回転に伴って、小歯車の装着軸ひいては容器洗浄用ブラシが自転を伴いつつ、凹溝に誘導されて、方形歯車のまわりを公転するようになる。
【００１２】
従って、上記構成の洗浄装置によれば、洗浄対象の角形容器を、これの天地を反転させてテーブルに預け持たせ、後は昇降手段と水力モーターとを作動させることで、角形容器が容器洗浄用のブラシに被さるように下降すると共に、ロータリーベースの回転に伴って、洗浄用ブラシが自転しつつ角形容器の内面に沿って公転することで、角形容器の内面が隅々まで自動的に洗浄されるようになる。
【００１３】
そして、洗浄を終えたならば、水力モーターの作動を停止させる一方、昇降手段を作動させて、テーブルひいては角形容器を元の位置にまで持ち上げ、ここで洗浄後の角形容器を取り出して、新たに洗浄対象の角形容器をテーブルに預け持たせるのであり、このことを繰り返し行うことで、角形容器は、その内面が全自動で洗浄されるようになる。
【００１４】
この際、従来は、洗浄用ブラシを公転させる上で、円形歯車を用いていたのに対して、本発明では、これを方形歯車にするだけの改造によって、従来では必要とした水平動作の手段はもとより、コスト的に高くつく制御の手段をも不要にして、角形容器の内面を隅々まで綺麗に洗浄することができるのであり、従って、本発明によれば、角形容器の洗浄装置がコスト的に安価に提供される。
【００１５】
上記の洗浄用ブラシとして、弾性変形が可能なシリコンゴム系の板状部材をブラシボスに設けてなるものを選択していることから、柔軟性を有する例えば合成樹脂製の繊維をブラシボスに密植させたものに比較して、板状部材を綺麗に且つ隅々まで楽に洗浄することができる。
【００１６】
また、この板状部材を、小歯車の装着軸に対して取り外し並びに取り付け位置調節可能に備えていることから、口径や深さの異なる角形容器の洗浄に容易に対応させることができる。
【００１７】
更に、水力モーターからの排水を洗浄水として有効に利用して、この洗浄水を角形容器の内面や洗浄用ブラシの洗浄部に向けて噴出させることから、容器内面にこびりついた汚れであっても、これを綺麗に洗い流すことができる。
【００１８】
ここで、洗浄用ブラシの公転軌道を誘導させるための凹溝を、専用に備えた二枚の固着部材に形成する外、実施の形態で明らかになるように、モーター軸の軸ケースの上下部に二枚の方形歯車を備えて、これを固着部材とし、これの相対峙する面部に凹溝を形成してもよいのである（請求項２）。
【００１９】
【発明の実施の形態】
以下、本発明の実施の形態を図面に基づいて説明する。図１及び図２は容器洗浄設備の概略を示し、この容器洗浄設備は、容器内面に付着した残飯などの被洗浄物を荒洗いする前処理部１の後段に、下洗いと本洗い及びすすぎ洗いの処理部２を配置してなるもので、前処理部１には、角形容器３の洗浄装置４と円形容器５の洗浄装置６とが備えられている。
【００２０】
それぞれの容器３，５は、天地を反転させた状態で洗浄されるのであって、図３にも示すように、それぞれの容器洗浄装置４，６には、天地を反転させた容器５の支持用テーブル７が、ガイドレール８に沿って昇降可能に設けられており、かつ、このテーブル７を上下に直動させる昇降手段（例えばエアシリンダ）９が固定フレーム１０に備えられている。
【００２１】
この昇降手段９の制御パネル１１には、テーブル７の昇降用と停止用のスイッチ１２が設けられており、そして、テーブル７の上方には、このテーブル７上に預け持たせた容器３，５の底面高さを検知して、この高さの検知情報に基づいてテーブル７の下降を自動的に停止させるセンサー１３が設けられている。
【００２２】
即ち、テーブル７上にセットされた容器３，５の深さに応じて、昇降手段９によるテーブル７の下降位置つまりは容器底面の下降位置を常に一定位置に保持させるように、昇降手段９を自動停止させるセンサー１３が設けられているのである。
【００２３】
容器支持用のテーブル７は、天地を反転させた容器３，５の載置板部１４と容器固定用のホルダー１５とを備えており、載置板部１４には、容器３，５の口部を比例縮小させた形状の開口部（図３を参照）１６が形成されている。
【００２４】
一方、容器固定用のホルダー１５には、把手１７の係入部ａと、この係入部ａからの把手１７の抜け出しを阻止する係止ピンｂとが設けられており、かつ、係止ピンｂは、抜け出し阻止の解除状態に切り換え可能に構成されている。
【００２５】
角形容器３を洗浄対象とした洗浄装置４を図４及び図５に示している。この図４及び図５において、図中の２１は水力モーターであって、この水力モーター２１の構造は、特開平１１−２６７０８２号公報に示したものと構造的に同じであることから、詳細な説明を省略するが、この水力モーター２１のモーター軸２２をモーターケース２３の上方に突出させると共に、このモーター軸２２を軸ケース２４の上方に突出させて、その突出軸部にロータリーベース２５を固着している。
【００２６】
図６に示すように、ロータリーベース２５は矩形状のものであって、その中央部がモーター軸２２の突出軸部に固着されており、かつ、このロータリーベース２５の両端側には、モーター軸２２の中心軸線に直交する方向の長孔ｃが形成されており、更に、この長孔ｃに沿わせる状態で、その両側に直線状の凹溝ｄ，ｄが形成されている。
【００２７】
尚、水力モーター２１のモーター軸２２を中空に形成して、この中空部２６に水力モーター２１からの排水を導入させるようにし、かつ、中空部２６に連ねてモーター軸２２の先端に、導入排水の噴出ノズル２７を設けて、後述する洗浄用ブラシ２８の洗浄部に向けて洗浄水を吹き付けるように構成している。
【００２８】
即ち、家庭で食器を洗う際に、食器をスポンジで擦るだけでは、汚れが拡がるだけであり、この点にあって、スポンジに水を含ませることで汚れ落としの効果が高まることから理解されるように、水力モーター２１からの排水を、洗浄時の追い水として有効に利用して、これを洗浄用ブラシ２８の洗浄部に向けて吹き付けることで、洗浄効果のアップを図るようにしているのである。
【００２９】
そして、水力モーター２１の制御に関しては、テーブル７が下降し始めた際に自動的に回転を開始させ、容器洗浄後のテーブル７の持ち上げに伴って自動的に回転を停止させるようにしている。
【００３０】
即ち、テーブル７の持ち上げを完了してから、水力モーター２１の回転を停止させるようにすると、直ちに容器を取り出した際に、周囲に水が吹き飛んで、作業者にかゝることがあると想定して、安全を見込んで、テーブル７の持ち上げ時に回転を停止させるようにしているのである。
【００３１】
次に、図中の２９，２９は、洗浄対象の角形容器３の口部を比例縮小させた同一形状の方形歯車で、容器支持用テーブル７の載置板部１４に形成した開口部１６と同じ位相に位置合わせして、モーター軸２２の軸ケース２４の上下部に固着されている。
【００３２】
３０，３０は、方形歯車２９に対して１８０度の位相で噛合する円形の小歯車で、この小歯車３０の装着軸３１が、モーター軸２２の半径方向に移動可能な状態で、ロータリーベース２５に回転可能に係止保持されている。
【００３３】
３２は、方形歯車２９まわりでの小歯車３０の遊星動を誘導させるための誘導手段であって、上下一対の方形歯車２９，２９の相対峙する面部に、方形歯車２９の形状を比例縮小させた形状の凹溝３３を形成すると共に、この凹溝３３に案内されるローラー３４の保持部材３５を、小歯車３０の装着軸３１に相対回転可能に保持させてなる。
【００３４】
上記の小歯車３０の装着軸３１を、モーター軸２２の半径方向に移動可能な状態で、ロータリーベース２５に対して回転可能に係止保持させるに、具体的には装着軸３１に、ベアリング３６を介して軸支部材３７を設けると共に、この軸支部材３７に、ロータリーベース２５の直線状凹溝ｄ，ｄに沿って転動可能な一対のローラー３８，３８を備えて、この装着軸３１をロータリーベース２５の長孔ｃに上方から貫通させるのである。
【００３５】
この際、上部側の小歯車３０と、誘導手段３２のコの字型の保持部材３５と、下部側の小歯車３０を、その順に装着軸３１に装着すると共に、上下の小歯車３０，３０については、これをキーを用いて装着軸３１に固着し、コの字型の保持部材３５については、これをベアリング３９を介して装着軸３１に回転可能に保持させた上で、軸支部材３７のローラー３８，３８を直線状凹溝ｄ，ｄに嵌め込むのである。
【００３６】
次に、記述した容器洗浄用のブラシ２８について、このブラシ２８は、回転を伴って容器内面を洗浄するものであって、小歯車３０の装着軸３１に対して取り外し並びに取り付け位置調節可能に設けられている。
【００３７】
具体的には、装着軸３１の上部側に雄ねじ部４０を形成する一方、この雄ねじ部４０に螺合可能な雌ねじ部４１を形成した棒状のブラシボス４２に、上下に間隔を隔てて且つ周方向で１８０度の位相をもたせて、二枚の板状部材４３，４３を取り付けてなり、装着軸３１に対するブラシボス４２の取り付け位置の調節後において、装着軸３１を挟着する二つ割りのカラー４４，４４をブラシボス４２に当て止めすることで、装着軸３１に対するブラシボス４２の位置固定を図るようにしている。
【００３８】
上記の板状部材４３は、弾性変形が可能な例えばシリコンゴム系の合成樹脂製のものであって、形状的には、装着軸３１の回転に伴ってやゝ撓み変形して、上下を反転させた角形容器３の天面と周面とに接触するように構成されている。
【００３９】
上記の構成によれば、水力モーター２１によってロータリーベース２５を回転させると、このロータリーベース２５の回転に伴って、かつ、直線状凹溝ｄ，ｄに沿っての装着軸３１の移動を伴って、更には、誘導手段３２による装着軸３１の遊星動を伴って、方形歯車２９に噛合させた小歯車３０ひいては装着軸３１に備えた容器洗浄用のブラシ２８が自転しつつ、方形歯車２９のまわりを公転するようになる。
【００４０】
角形容器３の内面洗浄に際しては、テーブル７の容器載置板部１４に、天地を反転させた状態で角形容器３を載置し、この容器３の把手１７をホルダー１５に係止させて、角形容器３を載置板部１４上に固定する一方、制御パネル１１の下降スイッチ１２を操作して、天地を反転させた角形容器３を洗浄用ブラシ２８に被せるように、テーブル７を下降させるのである。
【００４１】
このテーブル７の下降に伴って、水力モーター２１が回転を開始すると共に、ノズル２７からは水力モーター２１からの排水が洗浄用ブラシ２８の洗浄部に向けて吹き付けられるのであり、そして、上記の装着軸３１に備えた容器洗浄用のブラシ２８が自転を伴って公転することで、天地を反転させた角形容器３の天面と周面とが、容器洗浄用のブラシ２８に備えた板状部材４３によって自動的に洗浄されることになる。
【００４２】
容器内面の洗浄を終えたならば、制御パネル１１の上昇スイッチ１２を操作して、テーブル７を持ち上げるのであり、これに伴って水力モーターの回転が停止すると共に、ノズル２７からの洗浄水の噴出も停止するのであり、そして、角形容器３の最終持ち上げをセンサー１３が検知して、これからの情報に基づいてプッシャーシリンダ４５が作動して、洗浄済みの角形容器３を、シュート４６を通して次工程の処理部２へのコンベア４７に送り込むのである。
【００４３】
爾後は、天地を反転させた状態での角形容器３の供給作業と、昇降スイッチ１２の操作を繰り返すだけで、汚れを伴わない楽な軽作業で、角形容器３を効果的に且つ全自動で洗浄することができるのである。
【００４４】
上記の構成にかゝる角形容器３の洗浄装置４において、これの方形歯車２９を円形歯車に置き換え、かつ、遊星動の誘導手段３２を構成する凹溝３３を円形に形成することで、角形容器３の洗浄装置４を円形容器５の洗浄装置６に構成変更することができるのであり、この際、装着軸３１をロータリーベース２５に対して回転のみ可能に保持させれば、遊星動の誘導手段３２を省略してもよいのである。
【００４５】
また、図７に示すように、上下一方（この実施の形態では下方）の方形歯車２９を、それのピッチ円まわりのフラットなガイド板５１に置き換える一方、小歯車３０をローラー５２に変更しても、或いは、このローラー５２を省略しても、本発明を実施可能であり、特許請求の範囲では、上記の方形歯車２９とガイド板５１のそれぞれを、軸ケース２４に固着の部材（固着部材）と称しているのである。
【００４６】
ここで、図示は省略するが、方形歯車２９に対する小歯車３０の噛合の解除ならびに凹溝３３からのローラー３４の取り外しを、洗浄装置の組み立て状態で可能に構成した上で、方形歯車２９を直径方向で２個に分割可能とし、かつ、個々の分割歯車を、例えばボルトを用いて軸ケース２４に止着させるように構成すれば、分割歯車のみの簡易な交換作業によって、容器洗浄装置を口径の異なる容器洗浄用の装置に組み換えることが可能となる。
【００４７】
また、容器洗浄装置の一式を、例えばキャスター車輪を備えた手押し台車に搭載して、容器洗浄装置を可搬タイプとし、かつ、水力モーター２１に加圧水の供給ホースを接続可能に構成して、下洗いと本洗い及びすすぎ洗いの処理部のみを備えた既存の容器洗浄設備に、上記構成の容器洗浄装置をドッキングさせれば、既存の容器洗浄設備のグレードアップを図ることができる。
【００４８】
【発明の効果】
以上説明したように、本発明にかゝる角形容器の洗浄装置では、容器洗浄用のブラシを、方形歯車を用いて公転させるように改善した点に特徴を有し、この簡単かつ合理的な改良技術によって、水平動作の手段はもとより、コスト的に高くつく制御の手段をも不要にして、角形容器の内面を自動的に隅々まで綺麗に洗浄することができるようになったもので、本発明によれば、従来にない画期的な構成の角形容器の洗浄装置が、コスト的に安価に提供される。
【図面の簡単な説明】
【図１】  容器洗浄設備における容器荒洗い用の前処理部の側面図である。
【図２】  容器荒洗い用の前処理部の平面図である。
【図３】  容器昇降手段の説明図である。
【図４】  角形容器を対象とした容器洗浄装置の側面図である。
【図５】  図４におけるＡ−Ａ線視の断面図である。
【図６】  ロータリーベースの平面図である。
【図７】  別の実施の形態による角形容器の洗浄装置を示す側面図である。
【符号の説明】
３…角形容器、７…容器支持用テーブル、９…テーブル昇降装置、２１…水力モーター、２２…モーター軸、２３…モーターケース、２４…軸ケース、２５…ロータリーベース、２６…中空部、２７…ノズル、２８…容器洗浄用のブラシ、２９…方形歯車（固着部材）、３０…小歯車、３１…装着軸、３３…凹溝、３４…ローラー、３５…保持部材、４２…ブラシボス、４３…板状部材、５１…固着部材。
【図１】
0004028740.tif 000002
【図２】
0004028740.tif 000003
【図３】
0004028740.tif 000004
【図４】
0004028740.tif 000005
【図５】
0004028740.tif 000006
【図６】
0004028740.tif 000007
【図７】
0004028740.tif 000008